(57)【要約】【課題】効果的な優先制御を行うことができる通信システムなどを提供する。【解決手段】通信システムは、端末を認証する認証部と、前記認証部による認証の結果に応じた権限を有する識別子を前記端末に対して付与する識別子付与部と、前記識別子を用いてサービスを要求した前記端末に対して前記識別子の権限に応じたサービスを提供するサービス提供部と、を備える。【選択図】図１
2015142271.tif 000002
【特許請求の範囲】
【請求項１】
端末を認証する認証部と、
前記認証部による認証の結果に応じた権限を有する識別子を前記端末に対して付与する識別子付与部と、
前記識別子を用いてサービスを要求した前記端末に対して前記識別子の権限に応じたサービスを提供するサービス提供部と、
を備える通信システム。
【請求項２】
前記識別子付与部が形成されるレイヤと、前記サービス提供部が形成されるレイヤとが異なる、
請求項１に記載の通信システム。
【請求項３】
前記識別子の権限は、優先的に扱われる権限、付加価値が与えられる権限、または、複数の分類のうちの特定の分類として扱われる権限のうちのいずれかである、
請求項１または請求項２のいずれか１項に記載の通信システム。
【請求項４】
前記識別子の権限は、優先的に扱われる権限であり、
前記識別子の権限に応じたサービスは、ＩＭＳにおける優先ユーザ向け優先制御が行われるサービスであり、
前記認証部は、ＰＣＲＦであり、
前記識別子付与部は、ＰＧＷであり、
前記サービス提供部は、Ｐ−ＣＳＣＦである、
請求項１または請求項２のいずれか１項に記載の通信システム。
【請求項５】
前記識別子の権限は、優先的に扱われる権限であり、
前記識別子の権限に応じたサービスは、ＩＭＳにおける優先ユーザ向け優先制御が行われるサービスであり、
前記認証部は、ＭＭＥであり、
前記識別子付与部は、ＰＧＷであり、
前記サービス提供部は、Ｐ−ＣＳＣＦである、
請求項１または請求項２のいずれか１項に記載の通信システム。
【請求項６】
前記端末から送信された信号に前記権限を有する前記識別子が含まれないと判定した場合に、当該信号を破棄する破棄部を備える、
請求項１から請求項５のいずれか１項に記載の通信システム。
【請求項７】
前記識別子は、前記端末に割り当てられるＩＰアドレスである、
請求項１から請求項６のいずれか１項に記載の通信システム。
【請求項８】
端末を認証する認証部による認証の結果に応じた権限を有する識別子を前記端末に対して付与する識別子付与部
を備える識別子付与装置。
【請求項９】
端末を認証し、
前記認証の結果に応じた権限を有する識別子を前記端末に対して付与し、
前記識別子を用いてサービスを要求した前記端末に対して前記識別子の権限に応じたサービスを提供する、
通信方法。
【発明の詳細な説明】
【技術分野】
【０００１】
本発明は、通信システム、識別子付与装置および通信方法に関する。
【背景技術】
【０００２】
ＩＭＳ（ＩＰ  Ｍｕｌｔｉｍｅｄｉａ  Ｓｕｂｓｙｓｔｅｍ）は、ＩＰ（Ｉｎｔｅｒｎｅｔ  Ｐｒｏｔｏｃｏｌ）ベースのマルチメディア通信サービスを提供することを目的として３ＧＰＰ（３ｒｄ  Ｇｅｎｅｒａｔｉｏｎ  Ｐａｒｔｎｅｒｓｈｉｐ  Ｐｒｏｊｅｃｔ）国際標準として既定されている。ＩＭＳは、アクセス網に依存しないＩＰで通信するコアネットワークの概念である。ＩＭＳでは、各アクセス網をＩＰ−ＣＡＮ（ＩＰ  Ｃｏｎｖｅｒｇｅｄ  Ａｃｃｅｓｓ  Ｎｅｔｗｏｒｋ）と呼び、複数のＩＰ−ＣＡＮをシームレスに収容することを可能とする。
【０００３】
ＩＭＳでは、アクセス網に依存しないため、異なるアクセス網で共通のマルチメディア通信サービスを提供することが可能となる。このマルチメディア通信サービスとしては、例えば、ＩＰ電話、テレビ電話、ＩＭ（Ｉｎｓｔａｎｔ  Ｍｅｓｓａｇｅ）などがある。このようなＩＭＳが非特許文献１に規定されている（非特許文献１参照。）。
【０００４】
ＩＭＳは、主に、セッション制御機能（ＣＳＣＦ：Ｃａｌｌ  Ｓｅｓｓｉｏｎ  Ｃｏｎｔｒｏｌ  Ｆｕｎｃｔｉｏｎ）、アプリケーションサービス制御機能（ＡＳ：Ａｐｐｌｉｃａｔｉｏｎ  Ｓｅｒｖｅｒ）を含む。また、ＩＭＳは、ユーザ情報蓄積機能（ＨＳＳ：Ｈｏｍｅ  Ｓｕｂｓｃｒｉｂｅｒ  Ｓｅｒｖｅｒ）を含む。
ＣＳＣＦは、サービス制御ネットワークの制御の核であるセッション制御を行う機能であり、移動端末間の通信セッションの設定、解放や、サービス条件にしたがってＡＳを選択して、セッション制御プロトコルであるＳＩＰ（Ｓｅｓｓｉｏｎ  Ｉｎｉｔｉａｔｉｏｎ  Ｐｒｏｔｏｃｏｌ）信号を転送することを行う。ＣＳＣＦは、Ｐ−ＣＳＣＦ（Ｐｒｏｘｙ−ＣＳＣＦ）、Ｓ−ＣＳＣＦ（Ｓｅｒｖｉｎｇ−ＣＳＣＦ）、Ｉ−ＣＳＣＦ（Ｉｎｔｅｒｒｏｇａｔｉｎｇ−ＣＳＣＦ）の３つの機能要素に分けられる。
【０００５】
非特許文献２には、ＬＴＥ（Ｌｏｎｇ  Ｔｅｒｍ  Ｅｖｏｌｕｔｉｏｎ）網などでＩＭＳベースのマルチメディア通信サービスを提供する場合に、ＩＭＳにおいて制御信号の優先処理を実現する方法が記載されている（非特許文献２参照。）。
この実現方法としては、サービスを優先的に提供されるべきユーザはＨＳＳにおいて優先加入者として登録されており、当該ユーザは加入者識別子や優先加入者情報が書き込まれたカードであるＵＩＣＣ（Ｕｎｉｖｅｒｓａｌ  Ｉｎｔｅｇｒａｔｅｄ  Ｃｉｒｃｕｉｔ  Ｃａｒｄ）を実装したＵＥ（Ｕｓｅｒ  Ｅｑｕｉｐｍｅｎｔ）を使用してＩＭＳ登録を行う。
【０００６】
ＩＭＳ登録手順において、Ｓ−ＣＳＣＦが、受信したＩＭＳ登録要求信号の加入者識別子をＨＳＳに通知し、ＨＳＳは、その加入者識別子とＨＳＳ上の加入者情報とを比較して、その加入者識別子が優先加入者に対応すると同定できれば、Ｓ−ＣＳＣＦに対して優先加入者識別子付きの加入者プロファイルを通知する。Ｓ−ＣＳＣＦがＵＥにＩＭＳ登録成功応答信号を返す途中で、Ｐ−ＣＳＣＦは受信した信号の加入者識別子と優先加入者識別子の組み合わせを保持する。そして、この加入者識別子に対応するユーザがＩＭＳ登録済みのＵＥを使用して発信要求をした際の手順としては、Ｐ−ＣＳＣＦがＵＥより受信した発信要求信号に付与された加入者識別子と優先加入者識別子に基づき、当該信号に対して優先識別子を付与し、この信号を後続装置（次に渡すべき装置）に転送する。ＩＭＳ網内におけるその他の装置群は優先識別子が付与された発信要求信号を受信したら、輻輳時においても当該優先識別子が付与されていない信号よりも優先的に処理することで、優先加入者に対して優先的にマルチメディア通信サービスを提供することを実現する。これらの手順は、非特許文献１にも記載されている。
【先行技術文献】
【非特許文献】
【０００７】
【非特許文献１】３ＧＰＰ  ＴＳ  ２３．２２８  「ＩＰ  Ｍｕｌｔｉｍｅｄｉａ  Ｓｕｂｓｙｓｔｅｍ  （ＩＭＳ）；Ｓｔａｇｅ２」
【非特許文献２】３ＧＰＰ  ＴＲ  ２３．８５４  「Ｅｎｈａｎｃｅｍｅｎｔｓ  ｆｏｒ  Ｍｕｌｔｉｍｅｄｉａ  Ｐｒｉｏｒｉｔｙ  Ｓｅｒｖｉｃｅ（ＭＰＳ）」
【発明の概要】
【発明が解決しようとする課題】
【０００８】
既存の手法では、非特許文献１に反映された手順の通り、登録成功応答をもってＰ−ＣＳＣＦが優先加入者識別子を保持し、それ以降の発信要求信号については、優先識別子を付与できるようになる。ただし、ＩＭＳ登録要求信号には優先識別子が付与されていないため、ＩＭＳ装置の輻輳等の要因により優先加入者のＩＭＳ登録要求であっても登録失敗が発生する可能性がある。ＩＭＳは登録が完了していない加入者に対してサービス提供することはできない。
【０００９】
また、他の既存の手法としては、ＩＭＳで流通する信号上に使用されるＳＩＰには優先度を示すＳＩＰヘッダが存在するため、ＩＭＳ登録要求信号に対して、ＵＩＣＣに書き込まれた優先加入者情報を基に優先度を示すＳＩＰヘッダを付与してもよい。
ただし、ＳＩＰはアプリケーション層に位置するテキストベースのプロトコルであり、人間が解釈しやすいという性質上、悪意のあるユーザはＵＥが送出する信号に載せるＳＩＰヘッダの内容を容易に書き換えることができると考えるべきである。このため、ＵＥが設定したＳＩＰヘッダのみを信頼してＩＭＳが優先制御を行うときには、悪意のあるユーザが自身を優先ユーザであると偽装できるＵＥを使用して優先度を示すＳＩＰヘッダを付与してきた場合に、本当の優先加入者であるのかまたは偽装された優先加入者であるのかを判断することができない。ＩＭＳが優先加入者を適切に判断することができなければ、ＩＭＳ装置の輻輳において偽装された優先加入者が多数の通信を占めた場合に、優先加入者にサービスを提供できないことが起こる。
以上のことから、従来技術ではＩＭＳ登録要求信号を含めた制御信号の優先処理を行うことができない。
【００１０】
本発明は、このような事情を考慮してなされたもので、効果的な優先制御を行うことができる通信システム、識別子付与装置および通信方法を提供することを課題とする。
【課題を解決するための手段】
【００１１】
（１）上記の課題を解決するために、本発明の一態様に係る通信システムは、端末を認証する認証部と、前記認証部による認証の結果に応じた権限を有する識別子を前記端末に対して付与する識別子付与部と、前記識別子を用いてサービスを要求した前記端末に対して前記識別子の権限に応じたサービスを提供するサービス提供部と、を備える。
【００１２】
（２）本発明の一態様は、上記した（１）に記載の通信システムにおいて、前記識別子付与部が形成されるレイヤと、前記サービス提供部が形成されるレイヤとが異なる、構成が用いられてもよい。
【００１３】
（３）本発明の一態様は、上記した（１）または上記した（２）のいずれか１つに記載の通信システムにおいて、前記識別子の権限は、優先的に扱われる権限、付加価値が与えられる権限、または、複数の分類のうちの特定の分類として扱われる権限のうちのいずれかである、構成が用いられてもよい。
【００１４】
（４）本発明の一態様は、上記した（１）または上記した（２）のいずれか１つに記載の通信システムにおいて、前記識別子の権限は、優先的に扱われる権限であり、前記識別子の権限に応じたサービスは、ＩＭＳにおける優先ユーザ向け優先制御が行われるサービスであり、前記認証部は、ＰＣＲＦであり、前記識別子付与部は、ＰＧＷであり、前記サービス提供部は、Ｐ−ＣＳＣＦである、構成が用いられてもよい。
【００１５】
（５）本発明の一態様は、上記した（１）または上記した（２）のいずれか１つに記載の通信システムにおいて、前記識別子の権限は、優先的に扱われる権限であり、前記識別子の権限に応じたサービスは、ＩＭＳにおける優先ユーザ向け優先制御が行われるサービスであり、前記認証部は、ＭＭＥであり、前記識別子付与部は、ＰＧＷであり、前記サービス提供部は、Ｐ−ＣＳＣＦである、構成が用いられてもよい。
【００１６】
（６）本発明の一態様は、上記した（１）から上記した（５）のいずれか１つに記載の通信システムにおいて、前記端末から送信された信号に前記権限を有する前記識別子が含まれないと判定した場合に、当該信号を破棄する破棄部を備える、構成が用いられてもよい。
【００１７】
（７）本発明の一態様は、上記した（１）から上記した（６）のいずれか１つに記載の通信システムにおいて、前記識別子は、前記端末に割り当てられるＩＰアドレスである、構成が用いられてもよい。
【００１８】
（８）上記の課題を解決するために、本発明の一態様に係る識別子付与装置は、端末を認証する認証部による認証の結果に応じた権限を有する識別子を前記端末に対して付与する識別子付与部を備える。
【００１９】
（９）上記の課題を解決するために、本発明の一態様に係る通信方法は、端末を認証し、前記認証の結果に応じた権限を有する識別子を前記端末に対して付与し、前記識別子を用いてサービスを要求した前記端末に対して前記識別子の権限に応じたサービスを提供する。
【発明の効果】
【００２０】
本発明によれば、効果的な優先制御を行うことができる。
【図面の簡単な説明】
【００２１】
【図１】本発明の一実施形態に係る通信システムの装置構成を示すブロック図である。
【図２】本発明の一実施形態に係る通信システムの概略的な機能構成を示すブロック図である。
【図３】本発明の一実施形態（第１実施形態）に係る通信システムの装置構成と機能構成との対応の一例を示すブロック図である。
【図４】本発明の一実施形態に係る通信システムにおいて行われる処理の流れの一例を示す処理シーケンス図である。
【図５】本発明の一実施形態（第２実施形態、第３実施形態）に係る通信システムの装置構成と機能構成との対応の一例を示すブロック図である。
【発明を実施するための形態】
【００２２】
以下、図面を参照し、本発明の実施形態について説明する。
（第１実施形態）
図１は、本発明の一実施形態に係る通信システム１の装置構成を示すブロック図である。本実施形態では、代表的な構成例を示す。
図２は、本発明の一実施形態に係る通信システム１の概略的な機能構成を示すブロック図である。
図３は、本発明の一実施形態に係る通信システム１の装置構成（図１に示される例）と機能構成（図２に示される例）との対応の一例を示すブロック図である。
【００２３】
図１に示されるように、本実施形態に係る通信システム１は、ＵＥ１１と、ＬＴＥ／ＥＰＣ（Ｅｖｏｌｖｅｄ  Ｐａｃｋｅｔ  Ｃｏｒｅ）部１２と、ＩＭＳ部１３と、ＨＳＳ部１４と、他網（他のネットワーク）１５を備える。また、図１には、ＬＴＥ／ＥＰＣ制御信号区間と、ＳＩＰ信号区間と、Ｄｉａｍｅｔｅｒ（認証・認可・課金プロトコル）信号区間が示されている。
ＬＴＥ／ＥＰＣ部１２は、ｅＮＢ（ｅｖｏｌｖｅｄ  Ｎｏｄｅ  Ｂ）２１と、ＳＧＷ（Ｓｅｒｖｉｎｇ−Ｇａｔｅｗａｙ）２２と、ＰＧＷ（ＰＤＮ（Ｐａｃｋｅｔ  Ｄａｔａ  Ｎｅｔｗｏｒｋ）−Ｇａｔｅｗａｙ）２３と、ＭＭＥ（Ｍｏｂｉｌｉｔｙ  Ｍａｎａｇｅｍｅｎｔ  Ｅｎｔｉｔｙ）２４を備える。
ＩＭＳ部１３は、Ｐ−ＣＳＣＦ３１と、Ｉ−ＣＳＣＦ３２と、Ｓ−ＣＳＣＦ３３と、ＡＳ３４を備える。
ＨＳＳ部１４は、ＰＣＲＦ（Ｐｏｌｉｃｙ  ａｎｄ  Ｃｈａｒｇｉｎｇ  Ｒｕｌｅｓ  Ｆｕｎｃｔｉｏｎ）４１と、ＨＳＳ４２を備える。
【００２４】
図２に示されるように、本実施形態に係る通信システム１は、概略的に、端末１０１と、ＧＷ１０２と、契約情報サーバ１０３と、呼処理サーバ１０４を含む機能構成を有する。
契約情報サーバ１０３は、優先加入者契約判定機能１１１と、優先加入者識別情報付与機能１１２を備える。
ＧＷ１０２は、優先加入者識別子割り当て機能１２１を備える。
呼処理サーバ１０４は、優先加入者識別子判定機能１３１と、ＳＩＰ優先識別子割り当て機能１３２を備える。
【００２５】
図３に示されるように、図１に示される装置構成と図２に示される機能構成との対応の一例では、ＰＣＲＦ４１が優先加入者契約判定機能１１１と優先加入者識別情報付与機能１１２を備え、ＰＧＷ２３が優先加入者識別子割り当て機能１２１を備え、Ｐ−ＣＳＣＦ３１が優先加入者識別子判定機能１３１とＳＩＰ優先識別子割り当て機能１３２を備える。
図３の例では、ＰＧＷ２３がＧＷ１０２に対応し、Ｐ−ＣＳＣＦ３１が呼処理サーバ１０４に対応し、ＰＣＲＦ４１が契約情報サーバ１０３に対応し、ＵＥ１１が端末１０１に対応する。
【００２６】
図１に示されるように、本実施形態に係る通信システム１では、ＩＭＳにおいてアクセス網がＬＴＥ網である場合のネットワークアーキテクチャを例示する。アクセス網（ＬＴＥ／ＥＰＣ）においては、その基地局であるｅＮＢ２１をＭＭＥ２４とＳＧＷ２２により収容する。ＭＭＥ２４は、ＬＴＥアクセスシステムの無線ゾーンに在圏するＵＥ（移動端末）１１とのインタフェースを持ち、ＵＥ１１の移動管理、ＵＥ１１の認証およびＵＥ１１とのＩＰ伝達経路の設定制御を行う。ＳＧＷ２２は、ＭＭＥ２４の指令に基づいてＩＰパケットの伝達制御を行う。
また、ＥＰＣ網においては、ＰＧＷ２３およびＰＣＲＦ４１が設定される。ＰＧＷ２３は、インターネット、ＩＭＳなどのＰＤＮとの接続点があり、ＰＤＮからＵＥ１１へのＩＰパケットをすべて受ける。ＰＣＲＦ４１は、ＰＧＷ２３、ＳＧＷ２２での伝達品質制御を行うためのＱｏＳ（Ｑｕａｌｉｔｙ  ｏｆ  Ｓｅｒｖｉｃｅ）、課金方法などのＩＰパケット伝達ポリシーを決定する。
【００２７】
図２および図３に示される各機能を説明する。
優先加入者契約判定機能１１１は、ＩＰ接続確立処理において、接続要求をした端末１０１の契約者情報から優先加入者であるか否かを判定する。
優先加入者識別情報付与機能１１２は、優先加入者契約判定機能１１１により端末１０１が優先加入者であると判定された場合に、優先加入者を示す情報を付与し、優先加入者識別子割り当て機能１２１に通知する。
優先加入者識別子割り当て機能１２１は、優先加入者識別情報付与機能１１２から伝えられた優先加入者識別情報を元に、該当する端末１０１に対して特定の識別子を割り当てる。
優先加入者識別子判定機能１３１は、ＩＭＳ登録処理において、端末１０１が優先加入者識別子割り当て機能１２１で割り当てられた識別子を付与したＩＭＳ登録処理信号を送信したときに、その識別子が優先加入者用の識別子であるか否かを判定する。
ＳＩＰ優先識別子割り当て機能１３２は、優先加入者識別子判定機能１３１により優先加入者であると判定されたＩＭＳ登録処理信号に対して優先識別子を付与する。
【００２８】
図４は、本発明の一実施形態に係る通信システム１において行われる処理の流れの一例を示す処理シーケンスの図である。
なお、本実施形態に係る通信システム１において、ＵＥ１１とｅＮＢ２１とは無線により通信する。それ以外の各通信経路では、例えば、有線により通信が行われ、または、無線により通信が行われてもよい。また、ある装置と他の装置とが通信する場合、これらの装置の間に存在する別の装置は当該通信の中継や転送を行う。
【００２９】
（処理Ｔ０：事前設定）
事前設定として、Ｐ−ＣＳＣＦ３１の優先加入者識別子判定機能１３１に、優先加入者用の識別子を登録しておく。一例として、識別子としてＩＰアドレスを利用することとし、ＵＥ１１に割り当てるＩＰアドレスがＩＰｖ６のものである場合、Ｐ−ＣＳＣＦ３１に、ある特定のｐｒｅｆｉｘを持つＩＰアドレスを優先加入者用のＩＰアドレスとして登録しておく。以下では、識別子としてＵＥ１１のＩＰアドレスを利用する場合について説明する。
【００３０】
ここで、識別子として、ＵＥ１１のＩＰアドレス以外の識別子が用いられてもよい。
他の識別子の例として、Ｐ−ＣＳＣＦ３１のＩＰアドレスを利用することとし、Ｐ−ＣＳＣＦ３１は、通常のＩＰアドレスの他に、優先加入者受付用のＩＰアドレスを登録（記憶）しておき、優先加入者受付用のＩＰアドレス宛てに登録を行うＳＩＰメッセージを優先加入者のＳＩＰメッセージとして扱う、構成が用いられてもよい。
さらに他の識別子の例として、ＳＩＰメッセージを転送するために利用されるＵＤＰ（Ｕｓｅｒ  Ｄａｔａｇｒａｍ  Ｐｒｏｔｏｃｏｌ）における宛先ポート番号を利用することとし、Ｐ−ＣＳＣＦ３１は、通常のポート番号の他に、優先加入者受付用のポート番号を登録（記憶）しておき、優先加入者受付用のポート番号宛てに登録を行うＳＩＰメッセージを優先加入者のＳＩＰメッセージとして扱う、構成が用いられてもよい。
【００３１】
（処理Ｔ１）
ＵＥ１１は、電源オンなどを契機として、アクセス要求（アクセス要求信号）を送信する。このときＵＥ１１は、ＵＩＣＣに書き込まれた優先加入者情報を元に、優先識別子を付与したアクセス要求を行うことが可能であり、本例では、それを行う。
【００３２】
（処理Ｔ２）
ＭＭＥ２４は、ＵＥ１１からｅＮＢ２１を介してアクセス要求を受信すると、ＵＥ１１からのアクセス要求により通知された加入者情報と、ＨＳＳ４２から通知される加入者情報とを取得して、これらの加入者情報について照合、認証を行う。また、ＭＭＥ２４は、加入者情報の更新を行ってもよい。
【００３３】
（処理Ｔ３）
ＭＭＥ２４は、認証が正常に完了すると、ＩＭＳ向けの新規ＰＤＮ接続要求（新規ＰＤＮ接続要求信号）を送信する。ＳＧＷ２２は、ＭＭＥ２４からの新規ＰＤＮ接続要求信号をＰＧＷ２３に転送する。
【００３４】
（処理Ｔ４）
ＰＧＷ２３は、ＳＧＷ２２から新規ＰＤＮ接続要求信号を受信すると、新規ＰＤＮに対する通信路の品質レベルを決めるために、ＰＣＲＦ４１にＱｏｓ要求（Ｑｏｓ要求信号）を送出する。本例では、ＰＣＲＦ４１は、受信したＱｏｓ要求信号に応じて、優先加入者契約判定機能１１１によりＩＭＳ接続かつ優先加入者であることを判定し、優先加入者識別情報付与機能１１２により、優先加入者を識別する情報（優先加入者識別情報）として、あらかじめ優先加入者に割り当てられた適切なＱｏｓ情報を割り当てて、ＰＧＷ２３に通知する。本例では、Ｑｏｓ情報として、ＱＣＩ（ＱｏＳ  Ｃｌａｓｓ  Ｉｄｅｎｔｉｆｉｅｒ）や、ＡＲＰ（Ａｌｌｏｃａｔｉｏｎ  ａｎｄ  Ｒｅｔｅｎｔｉｏｎ  Ｐｒｉｏｒｉｔｙ）等の情報が用いられる。
【００３５】
ここで、ＰＣＲＦ４１の優先加入者契約判定機能１１１は、例えば、あらかじめ優先加入者の契約情報を保持していてその情報に基づいて判定を行ってもよく、または、ＳＰＲ（Ｓｕｂｓｃｒｉｂｅｒ  Ｐｒｏｆｉｌｅ  Ｒｅｐｏｓｉｔｏｒｙ）などの加入者情報データベースに問い合わせて判定を行ってもよい。
本来、ＱＣＩやＡＲＰはその接続のＱｏｓ情報やリソース割り当て優先度を規定するためのものであるが、本実施形態では、ＱＣＩやＡＲＰとして特定の値を用いることで優先加入者を示す識別子として利用する。
なお、加入者（ユーザ）が優先加入者であるか否かは、例えば、契約時に固定的に設定されるが、他のタイミングで設定されてもよく、また、可変であってもよい。
【００３６】
（処理Ｔ５）
ＰＧＷ２３は、ＰＣＲＦ４１から通知された優先加入者識別情報（優先加入者識別子）となるＱｏＳ情報などを基に、優先加入者用のＰＤＮ通信路を設立し、また、優先加入者識別子割り当て機能１２１により、ＵＥ１１に割り当てるＩＰアドレスおよびＵＥ１１がアクセスするＰ−ＣＳＣＦ３１のＩＰアドレスを確定して、このＱｏＳ情報およびこれらのＩＰアドレスの情報を新規ＰＤＮ接続成功応答（新規ＰＤＮ接続成功応答信号）としてＳＧＷ２２に通知する。ＳＧＷ２２は、これをＭＭＥ２４に転送する。
ここで、本実施形態では、ＰＧＷ２３が、ＱｏＳ情報を基に優先加入者である場合には、優先加入者用のＩＰアドレスを割り当てるようにしている。例えば、ＰＧＷ２３は、複数の優先加入者用のＩＰアドレスと、複数の他の加入者用のＩＰアドレス（例えば、一般のＩＰアドレス）をあらかじめ保持しており、優先加入者に対しては複数の優先加入者用のＩＰアドレスのうちの１つを割り当て、他の加入者（例えば、一般の加入者）に対しては複数の他の加入者用のＩＰアドレスのうちの１つを割り当てる。
【００３７】
ここで、上述のように、本実施形態では、処理Ｔ５において識別子としてＵＥ１１のＩＰアドレスを利用する場合を説明するが、他の識別子の例として、Ｐ−ＣＳＣＦ３１のＩＰアドレスや、ＳＩＰメッセージを転送するＵＤＰの宛先ポート番号が、識別子として利用されてもよい。これらの他の識別子の例の場合、ＰＧＷ２３は、ＵＥ１１が優先加入者であることを判定（検出）すると、優先加入者に対応するＰ−ＣＳＣＦ３１のＩＰアドレスまたはＵＤＰの宛先ポート番号の情報を新規ＰＤＮ接続成功応答信号に含めてＳＧＷ２２に通知する。
なお、識別子としては、例えば、ある一つの種類の識別子が用いられてもよく、または、複数の種類の識別子が組み合わされて用いられてもよい。
【００３８】
（処理Ｔ６）
ＭＭＥ２４は、ＱｏＳ情報などが通知されると、ＱｏＳ情報を基に、優先加入者用のＰＤＮ通信路の設立を行い、それをＩＰアドレス情報を含むアクセス成功応答（アクセス成功応答信号）に合わせて、ｅＮＢ２１を介して、ＵＥ１１向けに通知する。
【００３９】
（処理Ｔ７）
ＭＭＥ２４は、ＵＥ１１向けに優先加入者用のＰＤＮ通信路を確保することができた後に、ＵＥ１１およびｅＮＢ２１の情報をＳＧＷ２２およびＰＧＷ２３に通知して、ＰＤＮ通信路情報の修正を行う。
以上の処理Ｔ１〜処理Ｔ７により、アクセス網の登録手順が完了となる。
【００４０】
（処理Ｔ８）
ＵＥ１１は、アクセス網の登録完了後に、ＵＥ１１用のＩＰアドレス（本例では、優先加入者用のＩＰアドレス）を送信元アドレスに設定するとともにＰ−ＣＳＣＦ３１のＩＰアドレスを送信先アドレスに設定したＩＰパケット上に、ＩＭＳ登録要求のＳＩＰ信号を載せて、ＩＭＳ登録要求の信号を生成する。そして、ＵＥ１１は、この要求信号（ＩＭＳ登録要求信号）を優先加入者用のＰＤＮ通信路を使用して送出する。
【００４１】
ここで、上述のように、本実施形態では、処理Ｔ８において識別子としてＵＥ１１のＩＰアドレスを利用する場合を説明するが、他の識別子の例として、Ｐ−ＣＳＣＦ３１のＩＰアドレスや、ＳＩＰメッセージを転送するＵＤＰの宛先ポート番号が、識別子として利用されてもよい。これらの他の識別子の例の場合、ＵＥ１１は、識別子として通知された宛先のＰ−ＣＳＣＦ３１のＩＰアドレスを送信先アドレスに設定し、または、識別子として通知されたＵＤＰの宛先ポート番号を設定して、処理を行う。
【００４２】
また、アクセスとしてＬＴＥならびにＥＰＣを使用する場合、ＰＧＷ２３が送信元ＩＰアドレスを通知するのに合わせて、そのＵＥ１１からのＩＰパケットとしてその割り当てたＩＰアドレス以外の番号を利用した場合には、そのＩＰパケットをドロップ（破棄）するアクセス制御を実施することも可能である。このアクセス制御の機能により、優先加入者として正しく認証されたＵＥ１１のＳＩＰ信号を載せたＩＰパケットのみを疎通させることが可能となる。これにより、ＳＩＰ信号などの書き換えが可能な信号に対して、アクセス網でそのＵＥ１１の正当性を承認した上で通信することができる。例えば、ＩＰパケット（例えば、そのＳＩＰ信号）に含まれるＩＰアドレスが書き換えられた場合に、そのＩＰパケットがＰ−ＣＳＣＦ３１に到達することを防止することができ、不正を防ぐことができる。
ここで、このようなアクセス制御を行う機能部（ＩＰパケットの破棄部）は、通信システム１における様々な装置に備えられてもよく、例えば、ＰＧＷ２３や他の装置のうちの１つ以上の装置に備えられてもよい。
なお、このようなアクセス制御は、実施されてもよく、または、実施されなくてもよい。つまり、このような機能部（ＩＰパケットの破棄部）は、備えられてもよく、または、備えられなくてもよい。
【００４３】
（処理Ｔ９）
ＩＭＳ登録要求信号を受信したＰ−ＣＳＣＦ３１は、優先加入者識別子判定機能１３１によりＩＰ層の送信元アドレスとＳＩＰに記述される送信元アドレス（Ｃｏｎｔａｃｔアドレス）を照合し、これらが一致すれば、続いて、ＳＩＰに記述された送信元アドレスと事前に設定されていた優先加入者用のＩＰアドレスとを比較して、これらが一致すれば、ＳＩＰ優先識別子割り当て機能１３２により、ＩＭＳ登録要求信号に対して、優先識別子を付与する。
ここで、本実施形態では、ＳＩＰに記述される送信元アドレスとしては、ＩＰ層の送信元アドレスが用いられる。
ここで、上述のように、本実施形態では、処理Ｔ９において識別子としてＵＥ１１のＩＰアドレスを利用する場合を説明するが、他の識別子の例として、Ｐ−ＣＳＣＦ３１のＩＰアドレスや、ＳＩＰメッセージを転送するＵＤＰの宛先ポート番号が、識別子として利用されてもよい。
【００４４】
（処理Ｔ１０）
Ｐ−ＣＳＣＦ３１は、付与された優先識別子付きのＩＭＳ登録要求信号をＩ−ＣＳＣＦ３２に転送する。
【００４５】
（処理Ｔ１１）
Ｉ−ＣＳＣＦ３２は、受信した優先識別子に基づいて、ＨＳＳ４２へのサーバ問い合わせ信号に優先識別子を付与し、ＨＳＳ４２からＳ−ＣＳＣＦ３３のアドレス情報を取得する。
【００４６】
（処理Ｔ１２）
Ｉ−ＣＳＣＦ３２は、受信した優先識別子に基づいて、優先識別子付きのＩＭＳ登録要求（ＩＭＳ位置登録要求信号）をＳ−ＣＳＣＦ３３に転送する。
【００４７】
（処理Ｔ１３）
Ｓ−ＣＳＣＦ３３は、受信したＩＭＳ位置登録要求信号に付与された優先識別子に基づいて、ＨＳＳ４２へのサーバ割り当て要求（サーバ割り当て要求信号）に優先識別子を付与し、ＨＳＳ４２から成功応答として加入者情報（本例では、優先加入者の加入者情報）を取得する。
【００４８】
（処理Ｔ１４、処理Ｔ２１、処理Ｔ２２）
Ｓ−ＣＳＣＦ３３は、ＨＳＳ４２から受信した優先加入者情報を保持するとともに、Ｉ−ＣＳＣＦ３２にＩＭＳ登録成功応答（ＩＭＳ登録成功応答信号）を送る。Ｉ−ＣＳＣＦ３２は、この信号をＰ−ＣＳＣＦ３１に転送する。Ｐ−ＣＳＣＦ３１は、この信号に基づいて、優先加入者情報を保持するとともに、この信号をＵＥ１１に転送する。
ここで、ＩＭＳ登録成功応答信号には、優先加入者情報が含まれる。
以上の処理Ｔ８〜処理Ｔ１４（および処理Ｔ２１〜処理Ｔ２２）により、ＩＭＳ登録手順が完了となる。
【００４９】
（処理Ｔ１５）
加入者がマルチメディア通信サービスの提供を受けるためにＵＥ１１を操作した場合に、ＵＥ１１は、ＩＭＳサービス要求（ＩＭＳサービス要求信号）をＰ−ＣＳＣＦ３１に送出する。
ここで、ＩＭＳサービス要求信号には、加入者の情報が含まれる。
【００５０】
（処理Ｔ１６、処理Ｔ２３）
本例では、Ｐ−ＣＳＣＦ３１は、ＵＥ１１から受信したＩＭＳサービス要求信号について、ＩＭＳ登録で保持していた優先加入者情報を参照して、優先加入者であることを判定し、優先識別子を付与したＩＭＳサービス要求信号をＳ−ＣＳＣＦ３３に送出する。Ｓ−ＣＳＣＦ３３は、受信したＩＭＳサービス要求信号に付与された優先識別子に基づいて、ＩＭＳサービス要求信号を後続装置に転送する。
なお、本シーケンスにおいては、後続装置の処理の詳細を省略するが、後続装置は、受信したＩＭＳサービス要求信号に応じて所定のサービスを提供するための処理を実行し、それに成功した場合にはＩＭＳサービス成功応答（ＩＭＳサービス成功応答信号）をＳ−ＣＳＣＦ３３に送信する。
【００５１】
（処理Ｔ１７）
Ｓ−ＣＳＣＦ３３は、後続装置からＩＭＳサービス成功応答信号を受信した際に、Ｐ−ＣＳＣＦ３１に対してＩＭＳサービス成功応答信号を転送する。Ｐ−ＣＳＣＦ３１は、この信号をＵＥ１１に転送し、これにより、ＩＭＳサービスの確立および提供を行う。
以上の処理Ｔ１５〜処理Ｔ１７（および処理Ｔ２３）により、ＩＭＳサービス手順が完了となる。
【００５２】
ここで、本実施形態に係る通信システム１では、図４に示される処理の手順において、アクセス要求や新規ＰＤＮ接続要求で、アクセス網において優先識別子を付与することが可能であるため、優先処理することが可能である。さらに、本実施形態に係る通信システム１では、設立された優先加入者用のＰＤＮ通信路を使用することで、ＵＥ１１からのＩＭＳ登録要求やＩＭＳサービス要求を、アクセス網上で優先処理することが可能である。ＩＭＳ網上では、元々、ＩＭＳサービス要求を優先加入者情報に基づいて優先処理することが可能であったが、本実施形態では、さらに、ＩＭＳ登録要求についても優先処理することが可能となる。これにより、本実施形態に係る通信システム１では、すべての要求手順について優先処理することができ、優先加入者に対して確実にマルチメディア通信サービスの提供を実現することができる。
【００５３】
以上のように、本実施形態に係る通信システム１では、加入者へのＩＰ接続確立処理において、加入者からの接続要求を契機に、優先加入者契約判定機能１１１により優先加入者であることを判定し、優先加入者識別情報付与機能１１２により優先加入者であることを示す識別子を接続要求信号に対して付与し、その識別子を元に優先加入者識別子割り当て機能１２１により特定のＩＰアドレスを割り当てるＩＰ接続確立装置群（本実施形態では、図２に示される契約情報サーバ１０３、ＧＷ１０２）と、呼処理サーバへの登録要求処理において、割り当てられたＩＰアドレスが付与された呼処理制御信号（本実施形態では、ＩＭＳ登録要求信号）に基づいて優先加入者識別子判定機能１３１により特定のアドレスからの優先加入者であることを判定し、その登録要求に対してＳＩＰ優先識別子割り当て機能１３２により優先加入者識別子を付与する当該呼処理サーバ（本実施形態では、図２に示される呼処理サーバ１０４）を備える。
【００５４】
このような構成により、本実施形態に係る通信システム１では、優先加入者について、ＩＭＳ登録要求信号を優先処理することを実現する。具体的には、ＵＥ１１からの信号のＩＭＳ関門装置であるＰ−ＣＳＣＦ３１において、ＵＥ１１からＩＭＳ登録要求信号を受信した際に、当該信号に含まれるＩＰアドレスに基づいて優先加入者判定を適切に行い、優先加入者である場合には、ＩＭＳ登録要求信号に優先識別子を付与して、優先制御を行って信号の転送を行うとともに、後続のＩＭＳ装置（後続装置）においてもその優先識別子に従って優先制御を行う。
【００５５】
ここで、一般に、多くのアクセス網において、ＵＥ１１がアクセス網に接続してきた際に、アクセス網の加入者認証を行い、さらにＵＥ１１がＰＤＮに接続する際に、アクセス網がＰＤＮ通信用のＩＰアドレスをＵＥ１１に割り当てる手順を行う。そして、アクセス網にとってＩＭＳ網はＰＤＮの１つと見なされる。よって、アクセス網の加入者認証が行われた結果、優先加入者であると判断されたＵＥ１１に対して優先加入者用のＩＰアドレスを割り当てて、さらにＩＭＳ網が、アクセス網を信頼して、優先加入者用のＩＰアドレスの情報を有している場合（例えば、同じ事業者がＩＭＳ網とアクセス網を提供する場合など）には、ＩＭＳ網はＳＩＰ上に記述されたＩＰアドレスが優先加入者のＩＰアドレスであるか否かを判断することができる。ただし、通常、ＳＩＰ上の情報要素のみで適切な判断を行うことは不可能である（あるいは、現実的に難しい）ため、本実施形態では、ＩＰの送信元アドレスとＳＩＰに記述される送信元アドレスを照合し、それらが一致すれば、ＳＩＰに記述された送信元アドレスは信頼できるものと判断する。これにより、ＩＭＳは、ＩＭＳ登録要求信号を受信した際に、当該信号に含まれるＩＰアドレスを優先加入者用のＩＰアドレスであると適切に判断した場合に、優先加入者の信号の優先制御を行う。
【００５６】
以上のように、本実施形態に係る通信システム１によると、優先加入者について、すべての制御信号の優先制御を可能とし、優先加入者に対して確実にマルチメディア通信サービスの提供を実現することができる。また、本実施形態に係る通信システム１では、例えば、既存のインタフェースへの変更を加えることなく、優先加入者の信号の優先制御を実現することができる。また、本実施形態に係る通信システム１では、例えば、輻輳などが発生した場合においても、優先制御が行われるため、優先加入者の音声通信を確実に提供することが可能となる。また、本実施形態に係る通信システム１では、例えば、ユーザによりＳＩＰによる信号を偽装された場合においても、その偽装を発見して、適切な制御を行うことができる。また、本実施形態に係る通信システム１では、例えば、既存の技術である優先加入者用のアクセス要求と組み合わせて利用することで、アクセス部分での優先制御に加えて、信号処理部分での優先制御を実現することができる。
このように、本実施形態に係る通信システム１によると、効果的な優先制御を行うことができる。
【００５７】
（第２実施形態）
第１実施形態と同様な構成部分については同一の符号を付して説明する。また、第１実施形態と同様な構成部分については詳しい説明を省略する。
また、第１実施形態の場合と同様に、識別子として、ＵＥ１１のＩＰアドレスが用いられる場合を示すが、他の識別子が用いられてもよい。
図５は、本発明の一実施形態に係る通信システム１（通信システム１についても、第１実施形態と同一の符号を用いる。）の装置構成（図１に示される例であり、一部の装置２４、４１の符号を変更する。）と機能構成（図２に示される例であり、一部の機能１１１〜１１２の符号を変更する。）との対応の一例を示すブロック図である。
図５に示されるように、図１に示される装置構成と図２に示される機能構成との対応の一例では、ＭＭＥ２４ａが優先加入者契約判定機能１１１ａと優先加入者識別情報付与機能１１２ａを備え、ＰＧＷ２３が優先加入者識別子割り当て機能１２１を備え、Ｐ−ＣＳＣＦ３１が優先加入者識別子判定機能１３１とＳＩＰ優先識別子割り当て機能１３２を備える。
図５の例では、ＰＧＷ２３がＧＷ１０２に対応し、Ｐ−ＣＳＣＦ３１が呼処理サーバ１０４に対応し、ＭＭＥ２４ａが契約情報サーバ１０３に対応する。
なお、本実施形態では、ＰＣＲＦ４１ａには、優先加入者契約判定機能と優先加入者識別情報付与機能が備えられていない。
【００５８】
本実施形態に係る通信システム１では、図４に示される処理シーケンスにおいて、（処理Ｔ２）〜（処理Ｔ５）の代わりに、次の（処理Ｔ２の他の例）〜（処理Ｔ５の他の例）を実行する。なお、次の説明では主に第１実施形態とは異なる点について説明し、（処理Ｔ２の他の例）〜（処理Ｔ５の他の例）においても、特に記述しない点は、（処理Ｔ２）〜（処理Ｔ５）と同様である。
【００５９】
（処理Ｔ２の他の例）
ＭＭＥ２４ａは、認証手続きにおいて、優先加入者契約判定機能１１１ａにより接続ユーザ（ＵＥ１１の加入者）が優先加入者であるか否かを判定し、優先加入者であると判定された接続ユーザに対して、優先加入者識別情報付与機能１１２ａにより優先加入者を識別する情報（優先加入者識別情報）を付与する。
【００６０】
（処理Ｔ３の他の例）
ＭＭＥ２４ａは、新規ＰＤＮ接続要求信号をＰＧＷ２３に送る。その後、ＭＭＥ２４ａは、付与した優先加入者を識別する情報をＰＧＷ２３に通達する。
ここで、本実施形態では、優先加入者識別情報としては、例えば、ＱｏＳ情報や割り当て優先度に、優先加入者用の情報をセットする。
【００６１】
（処理Ｔ４の他の例）
ＰＣＲＦ４１ａは、ＭＭＥ２４ａからＳＧＷ２２、ＰＧＷ２３を経由して伝えられたＱｏＳ情報や割り当て優先度をそのまま利用する。
【００６２】
（処理Ｔ５の他の例）
ＰＧＷ２３は、ＭＭＥ２４ａから伝えられた優先加入者識別情報を元に、優先加入者識別子割り当て機能１２１により、優先加入者用のＩＰアドレスを割り当てる。
【００６３】
以上のように、本実施形態に係る通信システム１においても、第１実施形態の場合と同様に、優先加入者について、すべての制御信号の優先制御を可能とし、優先加入者に対して確実にマルチメディア通信サービスの提供を実現することができる。
このように、本実施形態に係る通信システム１によると、効果的な優先制御を行うことができる。
【００６４】
（第３実施形態）
第２実施形態と同様な構成部分については同一の符号を付して説明する。また、第２実施形態と同様な構成部分については詳しい説明を省略する。
また、第２実施形態の場合と同様に、識別子として、ＵＥ１１のＩＰアドレスが用いられる場合を示すが、他の識別子が用いられてもよい。
第２実施形態（および第１実施形態）では、複数のＰＧＷ２３が存在するネットワークにおいて、すべてのＰＧＷ２３が優先加入者識別子割り当て機能１２１を持つ必要があるが、本実施形態では、ある一部のＰＧＷ２３のみが優先加入者識別子割り当て機能１２１を持ち、他のＰＧＷ２３は優先加入者識別子割り当て機能１２１を持たない。
【００６５】
なお、本実施形態に係る通信システム１では、第２実施形態と同様に図５に示されるものと同様な装置構成と機能構成との対応を有するが、優先加入者識別情報付与機能１１２ａがＰＧＷ２３の選択に利用される構成部分が異なる。
本実施形態では、優先加入者識別子割り当て機能１２１を正しく機能させるために、ＭＭＥ２４ａにおいて、ＰＧＷ２３の選択を実行し、優先加入者に対して、優先加入者識別子割り当て機能１２１を持つＰＧＷ２３を選択させる。
【００６６】
本実施形態に係る通信システム１では、図４に示される処理シーケンスにおいて、第２実施形態における（処理Ｔ２の他の例）および（処理Ｔ５の他の例）の代わりに、次の（処理Ｔ２の他の例２）および（処理Ｔ５の他の例２）を実行する。なお、次の説明では主に第２実施形態とは異なる点について説明し、（処理Ｔ２の他の例２）および（処理Ｔ５の他の例２）においても、特に記述しない点は、（処理Ｔ２の他の例）および（処理Ｔ５の他の例）と同様である。
【００６７】
（処理Ｔ２の他の例２）
ＭＭＥ２４ａは、認証手続きにおいて、優先加入者契約判定機能１１１ａにより接続ユーザ（ＵＥ１１の加入者）が優先加入者であるか否かを判定し、優先加入者であると判定された接続ユーザに対して、優先加入者識別情報付与機能１１２ａにより、優先加入者識別子割り当て機能１２１を持つＰＧＷ２３を選択するための情報を、優先加入者を識別する情報（優先加入者識別情報）として、付与する。これにより、ＰＧＷ２３の選択が実現される。
具体的な一例として、ＭＭＥ２４ａは、ＰＧＷ選択のための識別子パラメータの一つであるＡＰＩ−ＯＩ−Ｒｅｐｌａｃｅｍｅｎｔというパラメータについて、優先加入者に対しては、特定のＰＧＷ２３（本実施形態では、優先加入者識別子割り当て機能１２１を持つＰＧＷ２３）を示すためのパラメータを割り当てる。これにより、優先加入者については、優先加入者識別子割り当て機能１２１を持つＰＧＷ２３が選択されることになり、逆に、他の加入者については他のＰＧＷ２３が選択されるようにする。
【００６８】
（処理Ｔ５の他の例２）
優先加入者識別子割り当て機能１２１を持つＰＧＷ２３は、接続してきた優先加入者に対して、優先加入者識別子割り当て機能１２１により、優先加入者用のＩＰアドレスを割り当てる。逆に、優先加入者識別子割り当て機能１２１を持たないＰＧＷ２３は、接続してきた他の加入者に対して、優先加入者用のＩＰアドレスを割り当てない。
【００６９】
以上のように、本実施形態に係る通信システム１においても、第１〜２実施形態の場合と同様に、優先加入者について、すべての制御信号の優先制御を可能とし、優先加入者に対して確実にマルチメディア通信サービスの提供を実現することができる。
このように、本実施形態に係る通信システム１によると、効果的な優先制御を行うことができる。
【００７０】
（第４実施形態）
以上の実施形態では、ＩＭＳを例として説明したが、同様な構成や動作を様々なシステムに適用することが可能である。
また、以上の実施形態の場合と同様に、識別子として、ＵＥ１１のＩＰアドレスが用いられる場合を示すが、他の識別子が用いられてもよい。
一例として、端末を認証する認証装置と、認証装置による認証の結果に応じたＩＰアドレスを端末に対して付与するＩＰアドレス付与装置と、ＩＰアドレスを用いてサービスを要求した端末に対して当該ＩＰアドレスに応じたサービスを提供するサービス提供装置（例えば、アプリケーションサーバ（ＡＳ）など）と、を含む通信システムを構成することができる。
ここで、一例として、ＩＰアドレス付与装置のＩＰアドレス付与機能がレイヤ３に形成され、サービス提供装置のサービス提供機能がレイヤ４以上のレイヤに形成される。
【００７１】
また、ＩＰアドレスとしては、一例として、優先的に扱われる権限を有するＩＰアドレスを含む。具体例として、サービス提供装置によるサービスにおいて優先的に扱われる権限を有するＩＰアドレスと、サービス提供装置によるサービスにおいて優先的に扱われないＩＰアドレスが用いられる。また、優先的に扱われる権限を有するＩＰアドレスごとに、さらに、優先度の高低（例えば、順位など）が設定されてもよい。これにより、ＩＰアドレスの優先度にしたがって優先制御して、複数の端末にサービスを提供することができる。
また、ＩＰアドレスとしては、一例として、付加価値（プレミアム）が与えられる権限を有するＩＰアドレスを含む。具体例として、付加価値が与えられる権限を有するＩＰアドレスと、付加価値が与えられないＩＰアドレスが用いられる。また、付加価値が与えられる権限を有するＩＰアドレスごとに、さらに、付加価値の種類（例えば、レベルなど）が設定されてもよい。これにより、端末のＩＰアドレスに設定された付加価値に基づいて、当該付加価値のサービスを当該端末に提供することができる。
また、ＩＰアドレスとしては、一例として、複数の分類（カテゴリ）のうちの特定の分類として扱われる権限を有するＩＰアドレスを含む。具体例として、複数の分類のそれぞれについて、それぞれの分類として扱われる権限を有するＩＰアドレスが用いられる。これにより、端末のＩＰアドレスに設定された分類にしたがって、当該分類に属するものとして当該端末にサービスを提供することができる。
なお、ＩＰアドレスに他の様々な権限が設定されてもよい。
【００７２】
また、サービスとしては、任意のサービスが用いられてもよく、例えば、音声や映像などの通信のサービス、商品購入のサービス、ゲームや映像や音楽などのコンテンツの視聴等のサービスなどが用いられてもよい。
また、ＩＰアドレスに設定される権限としては、様々な権限が用いられてもよく、例えば、通信の速度（あるいは、通信するデータ量など）、通信や各種の処理が実行される順序、商品購入の課金における割り引きなど、ゲームや映像や音楽などのコンテンツの視聴等における分野あるいは特典など、に関する権限が用いられてもよい。
【００７３】
なお、通信システムにおける各機能は、任意の装置に備えられてもよい。例えば、通信システムにおいて、認証機能や、ＩＰアドレス付与機能や、サービス提供機能などは、それぞれ、任意の装置に備えられてもよく、２つ以上の機能が同一の装置に備えられてもよい。
また、通信システムにおける各装置は、任意の者により所有や管理等されてもよい。例えば、通信システムにおいて、認証装置や、ＩＰアドレス付与装置や、サービス提供装置などは、それぞれ、同一の者（例えば、事業者）により所有や管理等されてもよく、異なる者により所有や管理等されてもよい。
【００７４】
［以上の実施形態に係る構成例］
一構成例として、端末（図２の例では、端末１０１）を認証する認証部（図２の例では、契約情報サーバ１０３の優先加入者契約判定機能１１１および優先加入者識別情報付与機能１１２）と、前記認証部による認証の結果に応じた権限を有する識別子を前記端末に対して付与する識別子付与部（図２の例では、ＧＷ１０２の優先加入者識別子割り当て機能１２１）と、前記識別子を用いてサービスを要求した前記端末に対して前記識別子の権限に応じたサービスを提供するサービス提供部（図２の例では、呼処理サーバ１０４の優先加入者識別子判定機能１３１およびＳＩＰ優先識別子割り当て機能１３２）と、を備える通信システム（第１〜３実施形態では、通信システム１）である。
【００７５】
一構成例として、通信システムにおいて、前記識別子付与部が形成されるレイヤと、前記サービス提供部が形成されるレイヤとが異なる。例えば、前記識別子付与部が形成されるレイヤの方が下位層であり、前記サービス提供部が形成されるレイヤの方が上位層である。
一構成例として、通信システムにおいて、前記識別子の権限は、優先的に扱われる権限、付加価値が与えられる権限、または、複数の分類のうちの特定の分類として扱われる権限のうちのいずれかである。なお、前記識別子の権限としては、他の権限が用いられてもよく、２つ以上の異なる権限を同時に有してもよい。
【００７６】
一構成例として、通信システムにおいて、前記識別子の権限は、優先的に扱われる権限であり、前記識別子の権限に応じたサービスは、ＩＭＳにおける優先ユーザ向け優先制御が行われるサービスであり、前記認証部は、ＰＣＲＦ（図３の例では、ＰＣＲＦ４１）であり、前記識別子付与部は、ＰＧＷ（図３の例では、ＰＧＷ２３）であり、前記サービス提供部は、Ｐ−ＣＳＣＦ（図３の例では、Ｐ−ＣＳＣＦ３１）である（第１実施形態の構成例）。
一構成例として、通信システムにおいて、前記識別子の権限は、優先的に扱われる権限であり、前記識別子の権限に応じたサービスは、ＩＭＳにおける優先ユーザ向け優先制御が行われるサービスであり、前記認証部は、ＭＭＥ（図５の例では、ＭＭＥ２４ａ）であり、前記識別子付与部は、ＰＧＷ（図５の例では、ＰＧＷ２３）であり、前記サービス提供部は、Ｐ−ＣＳＣＦ（図５の例では、Ｐ−ＣＳＣＦ３１）である（第２〜３実施形態の構成例）。
【００７７】
一構成例として、通信システムにおいて、前記端末から送信された信号に前記権限を有する前記識別子が含まれないと判定した場合に、当該信号を破棄する破棄部（一例として、ＰＧＷ２３の機能部）を備える。
一構成例として、通信システムにおいて、前記識別子は、前記端末に割り当てられるＩＰアドレスである。
【００７８】
一構成例として、端末を認証する認証部による認証の結果に応じた権限を有する識別子を前記端末に対して付与する識別子付与部（図２の例では、ＧＷ１０２の優先加入者識別子割り当て機能１２１）を備える識別子付与装置（図２の例では、ＩＰアドレス付与装置であるＧＷ１０２）である。
一構成例として、端末を認証し、前記認証の結果に応じた権限を有する識別子を前記端末に対して付与し、前記識別子を用いてサービスを要求した前記端末に対して前記識別子の権限に応じたサービスを提供する、通信方法（第１〜３実施形態では、通信システム１において行われる通信の方法）である。
【００７９】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００８０】
また、以上に示した実施形態に係る各装置の機能を実現するためのプログラムをコンピュータ読み取り可能な記録媒体に記録して、この記録媒体に記録されたプログラムをコンピュータシステムに読み込ませ、実行することにより、処理を行ってもよい。
【００８１】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【００８２】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００８３】
１…通信システム、１１…ＵＥ、１２…ＬＴＥ／ＥＰＣ部、１３…ＩＭＳ部、１４…ＨＳＳ部、１５…他網、２１…ｅＮＢ、２２…ＳＧＷ、２３…ＰＧＷ、２４、２４ａ…ＭＭＥ、３１…Ｐ−ＣＳＣＦ、３２…Ｉ−ＣＳＣＦ、３３…Ｓ−ＣＳＣＦ、３４…ＡＳ、４１、４１ａ…ＰＣＲＦ、４２…ＨＳＳ、１０１…端末、１０２…ＧＷ、１０３…契約情報サーバ、１０４…呼処理サーバ、１１１、１１１ａ…優先加入者契約判定機能、１１２、１１２ａ…優先加入者識別情報付与機能、１２１…優先加入者識別子割り当て機能、１３１…優先加入者識別子判定機能、１３２…ＳＩＰ優先識別子割り当て機能
【図１】
2015142271.tif 000003
【図２】
2015142271.tif 000004
【図３】
2015142271.tif 000005
【図４】
2015142271.tif 000006
【図５】
2015142271.tif 000007